(57)【要約】      （修正有）【課題】利用者の作業に伴う動作によっても上着の裾から外れにくく、外気の不用意な流入を確実に抑制でき、ベルトから吊り下げる手間が省略可能な上着内側冷却装置を提供する。【解決手段】上着内側冷却装置１は、上着の裾の内側に軸方向が縦方向に沿って配置され、全体が円筒形状を呈し且つ互いに結合する上ケース１２および下ケース２と、下ケースの下部側の周面４に開口する吸入口６と、上ケースの上端１３ａに開口する吹出口１４と、下ケースの内側に取り付けられたモーターと、モーターで旋回し、吸入口６から外気を吸い込み吹出口１４から上着の内側に吹き出す軸流ファンＦと、下ケースの外周面に円周方向に離れて配置され、且つ上着の裾を下側から挟んで摘む３個以上の突起付きクリップ２０ａ，２０ｂと、を備える。【選択図】図１
0003210207.tif 000002
【実用新案登録請求の範囲】
【請求項１】
人体(Ｈ)の上半身に着用された上着(Ｗ)の内側を冷却する上着内側冷却装置(１)であって、
上着(Ｗ)の裾の内側に軸方向が縦方向に沿って配置され、全体が円筒形状を呈し且つ互いに結合する上ケース(１２)および下ケース(２)と、
上記下ケース(２)の下部側の周面(４)に開口する吸入口(６)と、
上記上ケース(１２)の上端(１３ａ)に開口する吹出口(１４)と、
上記下ケース(２)の内側に取り付けられたモーター(Ｍ)と、
上記モーター(Ｍ)により旋回することで、上記吸入口(６)から外気を吸い込み且つ該外気を上記吹出口(１４)から上着(Ｗ)の内側に吹き出す軸流ファン(Ｆ)と、
上記下ケース(２)の外周面(３)に円周方向に離れて配置され、且つ上着(Ｗ)の裾を下側から噛み込んで挟む３個以上の突起(２３，２９)付きクリップ(２０ａ，２０ｂ)と、を備えている、
ことを特徴とする上着内側冷却装置(１)。
【請求項２】
前記突起(２３，２９)付き(２０ａ，２０ｂ)クリップは、
前記下ケース(２)の外周面に固定された縦長の内側板(２２)と、
上記内側板(２２)における縦方向の中間の両側から外側に延びた左右一対の支え片(２４)と、
上記一対の支え片(２４)に回転可能に支持され且つ回転時に外向きから内向きに変わる凸片(３７)を有する縦長のカム板(３６)と、
上記カム板(３６)と上記内側板(２２)との間に配置され、且つ前記内側板(２２)との間で上着(Ｗ)の裾を下側から摘む縦長の外側板(２８)と、
上記外側板(２８)と上記カム板(３６)との間に配置され、且つ該カム板(３６)を上向きに回転した際に当該カム板(３６)の上記凸片(３７)に押されて、上記外側板(２８)の上部を上記内側板(２２)に接近させ且つかかる接近状態を維持する縦長の板バネ(３３)と、を備えており、
上記内側板(２２)の外側面と外側板(２８)の内側面とには、横方向に沿った単一または複数の前記突起(２３，２９)が、縦方向に沿って互いにずれた位置ごとに複数組突設されている、
ことを特徴とする請求項１に記載の上着内側冷却装置(１)。
【請求項３】
３個以上の前記突起(２３，２９)付きクリップ(２０ａ，２０ｂ)のうち２個のクリップ(２０ａ)は、平面視で前記上着(Ｗ)の裾における人体(Ｈ)寄りの周方向の両側に配置され、残り１個以上の上記クリップ(２０ｂ)は、平面視における前記下ケース(２)の外周面で上記２個の上記クリップ(２０ａ)の中間に配置されている、
ことを特徴とする請求項１または２に記載の上着内側冷却装置(１)。
【請求項４】
前記下ケース(２)の軸方向における中間の外周面で、且つ該外周面の円周方向に沿って隣接して設けられた２個の前記突起(２３，２９)付きクリップ(２０ａ)の間には、ベルト(Ｂ)に吊り下げ可能な垂直断面が逆Ｕ字形状のフック(４０)が着脱可能に係止されている、
ことを特徴とする請求項１乃至３の何れか一項に記載の上着内側冷却装置(１)。
【請求項５】
前記下ケース(２)における下部側の周面(４)に開口する複数の吸入口(６)に囲まれた該下ケース(２)の底面板(５)上に前記モーター(Ｍ)が配置され、該モーター(Ｍ)に対し外部から電力を給電するためのリード線(Ｌ)は、上記底面(５)板の外周縁に設けたソケット(７)に対して着脱可能とされている、
ことを特徴とする請求項１乃至４の何れか一項に記載の上着内側冷却装置(１)。
【請求項６】
前記下ケース(２)における下部側の周面(４)に開口する前記吸入口(６)の内側には、エアフィルター(ｆｒ)が取り替え可能に装着されている、
ことを特徴とする請求項１乃至５の何れか一項に記載の上着内側冷却装置(１)。
【考案の詳細な説明】
【技術分野】
【０００１】
本考案は、例えば、作業着のような人体の上半身に着用される上着の内側を冷却するための上着内側冷却装置に関する
【背景技術】
【０００２】
例えば、ズボンのベルトに係合部（フック）を介して吊り下げられた四角筒形状であり且つファンを内蔵したフレームと、該フレームから垂下した四角筒形状のベローズ部と、該ベローズ部の下端の外側面に取り付けられ、且つ利用者の上着の裾を掴む上向き姿勢のクリップとを備え、上記ベローズ部の下端から吸い込んだ外気を上記フレームの上面に設けたメッシュから上着の内側に上向きに吹き出して、夏季などにおける利用者の発汗や不快感を抑制する携帯型送風装置が提案されている（例えば、特許文献１参照）。
しかし、前記携帯型送風装置では、前記ベローズ部の下端の外側面のみに前記クリップを設けているため、前記ベローズ部を挟んだ上着の裾の両側とベルトとの隙間から外気が不用意に上着の内側に流入（漏れ、リーク）し易いと共に、常に前記係合部によりフレームをベルトから吊り下げる面倒な手間が必須であった。
【０００３】
一方、ズボンのベルトに下向き姿勢の衣服保持手段（フック）を介して吊り下げ可能とした円筒形状の被覆部と、その下側に連なる吸込部と、前記被覆部の上側に連設した角筒形状の吐出部と、からなる送風ケーシングを備え、上記被覆部の内側に設けた電動送風機により、上記吸込部から吸引した外気を上記吐出部から上着の内側に送風可能にすると共に、上記被覆部の外側面に設けた１個あるいは３個の上向き姿勢の衣服保持手段（フック）によって、上着（衣服）の裾を保持可能とした衣服下送風装置も提案されている（例えば、特許文献２参照）。
しかし、前記衣服下送風装置では、前記被覆部の外側面に設けた１個あるいは３個の上向き姿勢である薄板状のフック（衣服保持手段）により、上着の裾をその内外方向から単に挟んでいるに過ぎない。そのため、利用者の作業に伴う動作によって上記フックが上着の裾から外れたり、ずれ落ち易いと共に、常に前記フックにより前記ケーシングをベルトから吊り下げる面倒な手間が必須であった。
【先行技術文献】
【特許文献】
【０００４】
【特許文献１】特開２００７−２３９６２５号公報（第１〜６頁、図１〜４）
【特許文献２】実用新案登録第３１９９１４３号公報（第１〜９頁、図１〜４）
【考案の概要】
【考案が解決しようとする課題】
【０００５】
本考案は、背景技術で説明した問題点を解決し、利用者の作業などに伴う動作によっても上着の裾から外れたり、ずれ落ちにくく、且つ外気の不用意な流入（リーク）を確実に抑制できると共に、ベルトから吊り下げる手間を省略することも可能な上着内側冷却装置を提供する、ことを課題とする。
【課題を解決するための手段および考案の効果】
【０００６】
本考案は、前記課題を解決するため、吹出口を有する上ケースと、吸込口、モーター、およびファンを内蔵した下ケースとを結合可能とし、該下ケースの外周面の円周方向に沿って３個以上の突起付きクリップを配置する、ことに着想して成されたものである。
即ち、本考案の上着内側冷却装置（請求項１）は、人体の上半身に着用された上着の内側を冷却する上着内側冷却装置であって、上着の裾の内側に軸方向が縦方向に沿って配置され、全体が円筒形状を呈し且つ互いに結合する上ケースおよび下ケースと、該下ケースの下部側の周面に開口する吸入口と、前記上ケースの上端に開口する吹出口と、上記下ケースの内側に取り付けられたモーターと、該モーターにより旋回することで、上記吸入口から外気を吸い込み且つ該外気を上記吹出口から上着の内側に吹き出す軸流ファンと、上記下ケースの外周面に円周方向に離れて配置され、且つ上着の裾を下側から噛み込んで挟む３個以上の突起付きクリップと、を備えている、ことを特徴とする。
【０００７】
前記上着内側冷却装置によれば、以下の効果（１），（２）が得られ得る。
（１）前記下ケースの外周面に円周方向に離れて配置された３個以上の突起付きクリップが、上着の裾を下側から噛み込んで挟むため、前述した不用意な外気の流入（リーク）を防ぎ、前記軸流ファンによる吹出口から上着の内側に吹き出す圧力を効率良く維持できる。従って、利用者は、夏季などの発汗やこれに伴う不快感を気流による冷却で確実に抑制できるので、所要の作業などを適切に行える。
（２）前記３個以上の突起付きクリップが、上着の裾を下側から噛み込んで挟むことにより、ベルトから吊り下げる手間を省略することが可能となるので、利用者による装着作業を簡易化することが可能となる。
尚、前記クリップに設ける突起は、水平方向に沿った三角柱、複数の円錐形あるいは複数の四角錐形の突起からなる組を、縦方向に複数組連ねたものである。
【０００８】
また、本考案には、前記突起付きクリップは、前記下ケースの外周面に固定された縦長の内側板と、該内側板における縦方向の中間の両側から外側に延びた左右一対の支え片と、該一対の支え片に回転可能に支持され且つ回転時に外向きから内向きに変わる凸片を有する縦長のカム板と、該カム板と上記内側板との間に配置され、且つ前記内側板との間で上着の裾を下側から摘む縦長の外側板と、該外側板と上記カム板との間に配置され、且つ該カム板を上向きに回転した際に当該カム板の上記凸片に押されて、上記外側板の上部を上記内側板に接近させ且つかかる接近状態を維持する縦長の板バネと、を備えており、上記内側板の外側面と外側板の内側面とには、横方向に沿った単一または複数の前記突起が、縦方向に沿って互いにずれた位置ごとに複数組突設されている、上着内側冷却装置（請求項２）も含まれる。
これによれば、前記下ケースの外側で前記カム板を外側向きで且つ斜め下向きの姿勢から、内側向きで且つ斜め上向きの姿勢となるよう回転操作した際に、前記板バネの弾性変形によって、前記外側板の上部が強制的に前記内側板寄りに押される結果、内側板と外側板との突起が内外双方から上着の裾を噛み込んで強固に挟んで保持する。従って、前記効果（１），（２）を確実に得ることができる。
【０００９】
更に、本考案には、３個以上の前記突起付きクリップのうち２個のクリップは、平面視で前記上着の裾における人体寄りの周方向の両側に配置され、残り１個以上の上記クリップは、平面視における前記下ケースの外周面で上記２個の上記クリップの中間に配置されている、上着内側冷却装置（請求項３）も含まれる。
これによれば、２個の前記クリップが上着の裾における人体寄りの周方向の両側に配置され、且つこれらの中間に残り１個以上の前記クリップが配置されているので、前述した不用意な外気の流入（リーク）を確実に低減することが可能となる。従って、前記効果（１），（２）を一層確実に得ることができる。
【００１０】
また、本考案には、前記下ケースの軸方向における中間の外周面で、且つ該外周面の円周方向に沿って隣接して設けられた２個の前記突起付きクリップの間には、ベルトに吊り下げ可能な垂直断面が逆Ｕ字形状のフックが着脱可能に係止されている、上着内側冷却装置（請求項４）も含まれる。
これによれば、利用者が激しい動作を伴う作業や、危険な状態から抜け出すための緊急行動時に、前記モーターや前記ファンを有する上・下ケースが、前記３個以上の突起付きクリップによる噛み込み力に抗して上着の裾から不用意に外れたり、ずれ落ちる事態を確実に防げるので、一層の安全性を図ることができる（効果（３））。
【００１１】
更に、本考案には、前記下ケースにおける下部側の周面に開口する複数の吸入口に囲まれた該下ケースの底面板上に前記モーターが配置され、該モーターに対し外部から電力を給電するためのリード線は、上記底面板の外周縁に設けたソケットに対して着脱可能とされている、上着内側冷却装置（請求項５）も含まれる。
これによれば、例えば、リチウム電池などの電源を上着またはズボンのポケット内に収納し、前記モーターやファンを内蔵した上・下ケース全体を軽量化した状態で、前記リード線を介して上記電源から電力を上記モーターに給電できる。従って、少なくとも前記効果（１），（２）をより確実に得ることが可能となる。
【００１２】
加えて、本考案には、前記下ケースにおける下部側の周面に開口する前記吸入口の内側には、エアフィルターが取り替え可能に装着されている、上着内側冷却装置（請求項６）も含まれる。
これによれば、外気に含まれる微細な粒子などが、前記エアフィルターによって、前記上・下ケースの内側に進入しなくなり、安定した送風状態が得られるので、少なくとも前記効果（１），（２）をより一層確実に得ることが可能となる。
【図面の簡単な説明】
【００１３】
【図１】本考案における一形態の上着内側冷却装置を示す分解斜視図。
【図２】上記上着内側冷却装置を示す右側の側面図および左側の垂直断面。
【図３】上記上着内側冷却装置の使用状態を示す垂直方向の視角による概略図。
【図４】（Ａ）は上記上着内側冷却装置に用いられる突起付きクリップを示す分解斜視図、（Ｂ），（Ｃ）は該突起付きクリップの動作を示す概略図、（Ｄ１），（Ｄ２）は異なる形態の突起を示す部分斜視図。
【図５】（Ａ）〜（Ｃ）は上記上着内側冷却装置に用いられるフックの動作を示す概略図。
【図６】上記上着内側冷却装置の使用状態を示す側面視による概略図。
【考案を実施するための形態】
【００１４】
以下において、本考案を実施するための形態について説明する。尚、以下では、単に内側と称する場合は人体Ｈ側を、単に外側と称する場合はその反対側を指す。
図１は、本考案の一形態の上着内側冷却装置１を示す分解斜視図、図２は、この上着内側冷却装置１を示す右半側の側面図および左半側の垂直断面図である。
上着内側冷却装置１は、図１，図２に示すように、互いに結合し且つ全体が円筒形状を呈する上ケース１２および下ケース２と、該下ケース２の外周面３にその円周方向に沿い且つ互いに離れて配置された３個の突起付きクリップ２０ａ，２０ｂと、下ケース２の内側に取り付けたモーターＭおよび軸流ファンＦと、前記モーターＭにリード線Ｌを介して電力を給電する電池容器１９とを備えている。
【００１５】
前記上ケース１２は、例えば、ポリエチレンからなり且つ全体が変形した円筒形状を呈する本体１３と、該本体１３の上端１３ａに開口する吹出口１４と、前記本体１３の下端に位置する円環形状の結合部１３ｂと、該結合部１３ｂの内周側に取り付けられた防護ネット１５とを備えている。吹出口１４は、平面視で短軸の長さが異なる２つの半楕円形を係合した形状を呈し、比較的短い短軸の前記半楕円形を後述する人体Ｈ側に配置している。また、上記防護ネット１５は、同心円に配置した内外２重の円環部１６，１７を放射方向に沿って結合し、上記結合部１３ｂの内周側に接続する蜘蛛の巣レーダー形状を呈し、複数の通気口１８を併有する。該通気口１８は、例えば、不用意に挿入した使用者の指先などを防護するためのもので、気流の圧力損失を生じ難い開口率とされている。
【００１６】
また、前記下ケース２は、例えば、対衝撃性のＡＢＳ樹脂からなり、図１，図２に示すように、上部側の円筒形の外周面３と、下部側の円錐形状を呈する周面４と、その底部を覆う円形状の底板５と、前記周面４に軸方向に沿って細長く開設された複数の吸入口６とを備えている。上記底板５の上面にはモーターＭが固定され、該モーターＭから垂直に立設する回転軸Ｇの上端には、放射方向に沿って点対称に延びた複数枚の軸流ファンＦを有するスピナーＳが固定されている。
上記外周面３の上端部３ａと前記結合部１３ｂとは、例えば、約１回り程度のネジ結合をすることにより、上ケース１２と下ケース２とを結合可能としている。因みに、例えば、結合された上・下ケース２，１２全体（上着内側冷却装置１）の高さは、約１４０ｍｍであり、且つ最大の外径は、約７０ｍｍである。
【００１７】
図２に示すように、上記複数の吸入口６の内周側には、予め円錐形状とされたエアフィルターｆｒが装着され、該エアフィルターｆｒは、その上端縁の内側に、平面視で円環形状のスナップリングｓｒを嵌め込むことにより保持されている。
前記底板５の外周側の適所には、上記モーターＭと電気的に接続するソケット７が配置され、該ソケット７と前記電池（リチウムイオン）容器１９との間は、図１に示すように、両端に端子ｔ１，ｔ２を有するリード線Ｌを介して電気的に接続可能とされている。
【００１８】
更に、前記下ケース２の外周面３には、その円周方向に沿って配置された２個の突起付きクリップ２０ａと、１個の同じ突起付きクリップ２０ｂとの合計３個が、互いに離れて配置されている。図３に示すように、上記２個の突起付きクリップ２０ａは、利用者の人体Ｈおよび図示しないズボン用のベルトＢ側に配置され、残り１個の突起付きクリップ２０ｂは、人体Ｈなどの反対側に配置されている。上記３個の突起付きクリップ２０ａ，２０ｂは、平面視で下ケース２の外周面３に沿って互いに１２０度ずつの開き角度θとして配置しても良い。しかし、図３に示すように、２個の突起付きクリップ２０ａ同士間の開き角度θ２を、約９０〜１１６度と若干狭くし、これらと１個の突起付きクリップ２０ｂとの間における一対の開き角度θ１を、約１２２〜１３５度ずつと若干広めとしても良い。
尚、図３中の符号Ｗは、利用者の上着およびその裾の双方を示す。また、前記突起付きクリップ２０ａ，２０ｂの具体的な構造については、追って詳述する。
【００１９】
加えて、図１中に示すように、前記下ケース２の外周面３において、前記２個の突起付きクリップ２０ａに挟まれた位置には、側面視が縦長である左右一対の支持片８が突設され、該支持片８ごとが対向する内側面には、一対の凹溝９が左右対称に形成され、且つこれらに挟まれた上記外周面３には、下辺側に傾斜面を有する横向き姿勢の係止片１０が突設されている。上記支持片８および係止片１０には、垂直断面が逆Ｕ字形状のフック４０が着脱可能に係止される。
【００２０】
前記フック４０も、前記同様のＡＢＳ樹脂からなり、図１に示すように、凹部４２を挟んで対向する縦長の基板４１と外板４３とを備えている。該外板４３には、両外側に位置する左右一対の縦片４４と、側面視で下側が開いたコ字形状のスリット４７と、該スリット４７に囲まれた弾性部４９と、該弾性部４９の外側面における上端に突設された横向き姿勢の係止凸条４８と、外板４３の下端から外側向きに延び且つ円弧面４６を有する水平片４５と、上記基板４１の下端から水平部５０を介して斜め内側に延びた傾斜片５１とを有している。該傾斜片５１には、前記ベルトＢに掛ける図示しない安全紐を通す貫通孔５２が設けてある。
上記フック４０の下ケース２への係止方法については、追って説明する。
【００２１】
前記突起付きクリップ２０ａ（２０ｂ）は、図４（Ａ），（Ｂ）に示すように、前記下ケース２の外周面３から外側に延びた円柱片２１と一体である縦長で且つ長円形の内側板２２と、該内側板２２における縦方向の中間の両側から外側に延びた左右一対の支え片２４と、該支え片２４同士間に回転可能に支持された縦長のカム板３６と、該カム板３６と内側板２２との間に配置され、且つ下部のＵ字形部３０がネジ３９により上記円柱片２１に固定された縦長の外側板２８と、該外側板２８と上記カム板３６との間に配置され、且つ小孔３５を有する下片３４が上記ネジ３９により上記円柱片２１に固定された側面視がく字形状の板パネ３３と、を備えている。上記一対の支え片２４に設けた一対の孔２５には、上記カム板３６の角部付近に設けた貫通孔３８を通るピン２７の両端部が軸支される。
【００２２】
前記内側板２２の外側面における上部には、側面視が鋭角の三角形を呈し且つ全体が三角柱である水平姿勢の突起２３が、垂直方向に沿って複数組（本形態では４組）が突設されている。また、前記外側板２８の内側面の上部には、上記同様の形状である水平姿勢の突起２９が、上記突起２３とずれた位置ごとに複数組（本形態では３組）が垂直方向に沿って突設されていると共に、該上部の下方には、傾斜部３１を介して前記ネジ３９を通すための孔３２を有する前記Ｕ字形部３０が連設されている。
更に、前記板パネ３３は、バネ鋼製の薄板片からなり、その上端と下端とが上記外側板２８の外側面に個別に接触する側面視がく字形状を呈し、これらの下側に前記ネジ３９を通すための小孔３５を有する下片３４が連設されている。
加えて、前記カム板３６は、側面視がＬ字形状を呈し、前記貫通孔３８が貫通する角部から、その長手片に対し約９０度異なる方向に凸部３７が延びている。
尚、内・外側板２２，２８やカム板３６も、前記同様のＡＢＳ樹脂からなる。
【００２３】
図４（Ｂ）に示すように、前記カム板３６が斜め下側に延び且つその凸部３７が斜め上側に延びた姿勢の場合、該凸部３７による押圧力を、前記板バネ３３および外側板２８は受けていない。そのため、該板バネ３３と外側板２８とは、前記ネジ３９で各々の下部側のみが固定され、且つ各々の上部は自由な状態にある。
かかる状態で、図４（Ｂ）に示すように、内側板２２と外側板２８との間に上着の裾Ｗを挿入した後、同図中のカーブした矢印で示すように、前記カム板３６を上側向きに約１５０〜１６０度回転させる。その結果、図４（Ｃ）に示すように、上記カム板３６は、ほぼ垂直に近い内側に傾斜した姿勢となり、その凸片３７はほぼ水平に近い内側向きの姿勢となる。該凸片３７によって前記板バネ３３のく字形状部（上部）が内側に押され、直線形状に近付くように弾性変形する。
【００２４】
前記弾性変形によって、外側板２８の上部が内側板２２寄りに押されるので、図４（Ｃ）に示すように、上着の裾Ｗは、内外の両面から互いに接近した複数組ずつの突起２３，２９によって噛み込まれる。
以上の操作によって、前記図３で示したように、３個の突起付きクリップ２０ａ，２０ｂにより、前記下ケース２の外周面３における円周方法に沿って、上着の裾Ｗが離れた３箇所で下側から噛み込まれる。そのため、前記モーターＭなどを内蔵する上・下ケース２，１２を、外気の不用意な流入を防ぎつつ、上着の裾Ｗに強固に保持することができる。従って、前記効果（１），（２）が得られる。
尚、図４（Ｄ１）に例示するように、前記突起２３，２９に替えて、円錐形状を呈する複数の突起２３ａを横方向に併設し、これらを縦方向に沿って複数組突設した形態や、図４（Ｄ２）に示すように、四角錐形状を呈する複数の突起２３ｂを横方向に併設し、これらを縦方向に沿って複数組突設した形態としても良い。
【００２５】
図５（Ａ）は、前記下ケース２の外周面３に対し、前記フック４０を係止する直前の状態を示す部分垂直断面図である。予め、図１中の一点鎖線の矢印で示すように、逆Ｕ字形状の姿勢としたフック４０を下ケース２の外周面３に近付ける。
次に、図５（Ａ）中の一点鎖線の矢印で示すように、下ケース２の外周面３に設けた前記支持片８ごとにおける凹溝９内に、前記フック４０の外板４３における左右一対の４４が個別に進入するように、当該フック４０を上向きに持ち上げる。
すると、図５（Ｂ）に示すように、上記外板４３において前記スリット４７に囲まれた弾性部４９の外側面に突設された係止凸条４８が、下ケース２の外周面３に突設された前記係止片１０を乗り越えようとして、上記係止凸条４８と共に弾性部４９の上半部側が基板４１側（内側）に向かって弾性変形する。
【００２６】
引き続いて、前記フック４０を上向きに持ち上げると、図５（Ｃ）に示すように、フック４０側の係止凸条４８が、下ケース２側の係止片１０を乗り越えて当該係止片１０に係止されると共に、前記弾性部４９は、垂直姿勢に戻って前記外板４３と面一になる。その結果、上記フック４０の上部側は、一対の支持片８と前記上端部３ａと囲まれ且つこれらに拘束されることによって、当該フック４０が前記下ケース２の外周面３に抜け出し不能に係止される。
尚、係止凸条４８と係止片１０との係止状態を解除するには、前記上端部３ａ側の上方から、あるいは、一方の支持片８の側面に開設する図示しない小孔から先の尖ったピンを挿入し、係止凸条４８を弾性部４９と共に、前記基板４１側（内側）に押すことで可能となる。また、前記上端部３ａには、前記一対の支持片８の真上付近に外側に突出した突出部を設けても良い。
【００２７】
更に、図６に示すように、利用者の人体Ｈの下半身に着装したズボンのベルトＢに前記フック４０を介して、予めが上ケース１２が結合された下ケース２を吊り下げて支持した後、人体Ｈの上半身に着装した上着Ｗにおける背中側の裾Ｗに、前記３個の突起付きクリップ２０ａ，２０ｂを介して、上・下ケース２，１２を上記裾Ｗに装着して保持する。
そして、例えば、上着Ｗの図示しないポケット内に予め収納した前記電池容器１９と、下ケース２の前記ソケット７との間を、前記リード線Ｌを介して導通可能とした上、上記電池容器１９のスイッチｓｗを操作する。その結果、図６中の矢印で示すように、外気は、吸入口６から下ケース２内に入り、前記ファンＦによって高圧化されて上ケース１２の吹出口１４から上着Ｗの内側に沿って圧送される。従って、以上のような上着内冷却装置１によれば、前記効果（１）〜（３）が確実に得られることが容易に理解される。
【００２８】
因みに、前記モーターＭ（重量：約１２０ｇ）の性能は、電圧が約７Ｖと高い場合、回転数：約１００００ｒｐｍ、風速約１２ｍ／分、風量約３ｍ3／秒、連続回転時間約５．５時間であり、電圧が約３Ｖと低い場合、回転数：約５０００ｒｐｍ、風速約６ｍ／秒、風量約１．１ｍ3／分、連続回転時間約４３時間である。
尚、前記図６では、上・下ケース２，１２を上着Ｗの背中側の裾Ｗに装着したが、何れか一方の脇腹側の裾Ｗ、あるいは腹部側の裾Ｗに装着しても良い。
【００２９】
本考案は、以上において説明した形態に限定されるものではない。
例えば、前記上ケース１２の本体１３は、全体が円錐形状を呈する形態としたり、その吹出口１４を短軸が内外方向に沿った長円形や長方形状としても良い。
また、前記上ケース１２の防護ネット１５は、前記形態よりも簡素な形態とし、且つ当該上ケース１２の吹出口１４寄りの位置に取り付けても良い。
更に、前記突起付きクリップ２０ａ，２０ｂは、４個以上を前記下ケース２の円周方向に沿ってほぼ等間隔にして取り付けた形態としても良い。
加えて、前記上着内側冷却装置１は、コートや耐熱服などの外套の裾に取り付け、上着Ｗと前記外套との間に冷風を圧送するように用いることも可能である。
【産業上の利用可能性】
【００３０】
本考案によれば、利用者の作業などによっても上着の裾から外れたり、ずれ落ちし難く、且つ外気の不用意な流入を確実に抑制でき、且つベルトから吊り下げる手間を省略することも可能な上着内側冷却装置を提供できる。
【符号の説明】
【００３１】
１…………………上着内冷却装置
２…………………下ケース
３…………………外周面
５…………………底面板
６…………………吸入口
７…………………ソケット
１２………………上ケース
１３ａ……………上端部
１４………………吹出口
２０ａ，２０ｂ…突起付きクリップ
２２………………内側板
２３，２９,２３ａ,２３ｂ突起
２４………………支え片
２８………………外側板
３３………………板バネ
３６………………カム板
３７………………凸片
４０………………フック
Ｈ…………………人体
Ｗ…………………上着／上着の裾
Ｌ…………………リード線
Ｍ…………………モーター
Ｆ…………………軸流ファン
ｆｒ………………エアフイルター
【図１】
0003210207.tif 000003
【図２】
0003210207.tif 000004
【図３】
0003210207.tif 000005
【図４】
0003210207.tif 000006
【図５】
0003210207.tif 000007
【図６】
0003210207.tif 000008